(57)【特許請求の範囲】
【請求項１】
撮影用のレンズユニットのハウジングに対し、ＡＦセンサーユニットを位置調整して取り付け可能に構成した撮像装置において、
前記撮影用のレンズユニットのハウジングに配置された、偏心ピン用穴と垂直調整ネジ穴と固定ネジ用穴を有する取り付け座と、
前記ＡＦセンサーユニットに設けられ、長穴と垂直調整ネジ通し穴と貫通孔を有する取り付け部と、
前記取り付け部の貫通孔を介して、前記取り付け座と締結部で締結する固定ネジと、
前記偏心ピン用穴へ前記長穴を介して挿通した偏心ピンを回転させることにより、前記ＡＦセンサーユニットが前記レンズユニットに対して、前記固定ネジの中心を回転中心として水平方向へ回転されて位置調整が可能なように構成した第１方向調整機構と、
前記垂直調整ネジ穴へ前記垂直調整ネジ通し穴を介して挿通した垂直調整ネジを回転させることにより、前記ＡＦセンサーユニットが前記レンズユニットに対して、前記固定ネジの締結部を支点として前記取り付け部の自由端部が、垂直方向に移動されて位置調整が可能なように構成した第２方向調整機構と、を有し、
前記固定ネジ、前記偏心ピン、前記垂直調整ネジの３点は、全て中心軸が同一方向を向き、前記固定ネジと前記垂直調整ネジの２点のみで垂直方向が固定されることを特徴とする撮像装置。
【請求項２】
前記第１方向調整機構は、前記取り付け座の孔へ軸部を回転可能に挿通した偏心ピンの中心軸に対して偏心して配置された円形頭部を、前記取り付け部に形成した長穴の内部で回転させることにより、前記取り付け部を、前記締結部を中心として回転して位置調整が可能なように構成したことを特徴とする請求項１記載の撮像装置。
【請求項３】
前記第２方向調整機構は、ＡＦセンサーユニットの自由端部側を調整ネジで押圧して移動させることにより、前記取り付け部の自由端部側を、前記締結部を中心として移動させることにより、位置調整が可能なように構成したことを特徴とする請求項１又は２記載の撮像装置。
【請求項４】
前記ＡＦセンサーユニットの自由端部側を、前記調整ネジにおけるネジ締め付け方向と逆方向へ付勢するバネ部材を設けたことを特徴とする請求項３記載の撮像装置。    
【請求項５】
前記取り付け部を前記ＡＦセンサーユニットの構成部品の一部に一体的に形成したものであることを特徴とする請求項１記載の撮像装置。
【請求項６】
前記取り付け座は、前記撮影用のレンズユニットと一体的に形成されていることを特徴とする請求項１記載の撮像装置。
【発明の詳細な説明】
【技術分野】
【０００１】
本発明は、測距装置付き撮像装置に係わり、特に、被写体までの距離を測定するＡＦセンサー等の測距装置を位置調整して取り付けるための、位置調整機構を備えた撮像装置に関する。
【背景技術】
【０００２】
一般に、被写体までの距離を測定する測距装置を搭載した撮像装置が、広く用いられている。このような測距装置を搭載した撮像装置では、撮像光学系の外側に測距装置としてのＡＦセンサーユニットを配置し、撮像装置であるカメラから被写体までの距離を測定する方式のものの開発が進んでいる。
【０００３】
このような撮像光学系の外側にＡＦセンサーユニットを配置したカメラには、２個のレンズと２個の測距用撮像素子を用い、三角測量の原理で測定するパッシブＡＦ方式（パッシブ測距方式）を採用したものがある。
【０００４】
従来、パッシブＡＦ方式のＡＦセンサーユニットを撮像光学系の外側に配置した構成のカメラでは、ＡＦセンサーユニットを、いわゆるパララックス調整を行ってカメラの撮像光学系の外側に固定する必要がある。
【０００５】
このパララックス調整では、２個のレンズと２個の測距用撮像素子を用いたＡＦセンサーユニットにおける２対の光学系の向きを、撮像レンズの光軸方向へ所定角度傾けるように調整する（例えば、特許文献１参照）。
【０００６】
次に、このパララックス調整を行ってＡＦセンサーユニットを撮像光学系の外側に固定するための具体的な方法を、図４及び図５に示す、ビデオカメラ用パッシブＡＦ方式のＡＦセンサーユニットに対する固定方法を例に採って説明する。
【０００７】
図４は、従来のＡＦセンサーユニットが撮像光学系の外側に取り付けられた状態の外観を例示する要部斜視図である。
【０００８】
図５は、従来のＡＦセンサーユニットを撮像光学系の外側から取り外した状態の外観を例示する要部斜視図である。
【０００９】
このＡＦセンサーユニット１００１は、２対のレンズとＡＦセンサー（ＡＦ用撮像素子）を内蔵する。さらに、ＡＦセンサーユニット１００１には、その内部のＡＦセンサーから電気信号を所定の電気回路に接続するためのフレキシブル基板１００９が取り付けられている。
【００１０】
このＡＦセンサーユニット１００１は、撮像光学系であるレンズユニット１００４の外側に、ＡＦセンサーホルダー１００２を介して装着される。
【００１１】
このため、レンズユニット１００４には、ＡＦセンサーホルダー１００２が、ＡＦセンサーホルダー固定ネジ１００３により固定されている。このＡＦセンサーホルダー１００２は、中空の直方体の前面と上面とを取り除いた枠体状の内部にＡＦセンサーユニット１００１を収納して保持するよう構成されている。
【００１２】
さらに、このＡＦセンサーホルダー１００２の底板部中央には、図５に示すように、ＡＦセンサーユニット１００１の底の凹部（図示せず）に勘合し、調整時の突き当て部となる突き当てボス１００８が突設されている。
【００１３】
また、ＡＦセンサーユニット１００１には、２個の設置位置の調整穴１０１０が設けられている。これら２個の設置位置の調整穴１０１０には、それぞれ専用調整工具が着脱可能に挿入される。これら専用調整工具には、先端テーパー状の調整工具ピン１００５が延出するように取り付けられている。専用調整工具は、各調整工具ピン１００５を操作することにより、ＡＦセンサーユニット１００１を調整方向（Ｘ，Ｙ，θ）１００７に対して調整可能なように構成されている。
【００１４】
また、このＡＦセンサーユニット１００１は、ＡＦセンサーホルダー１００２に対して、２箇所のＵＶ硬化接着剤１００６によって貼着することにより、固定して配置される構成となっている。
【００１５】
次に、上述のように構成された、ＡＦセンサーホルダー１００２を介してＡＦセンサーユニット１００１が取り付けられる構成における、パララックス調整の方法について説明する。
【００１６】
図４に示すように、ＡＦセンサーホルダー１００２の所定位置にＡＦセンサーユニット１００１を載置した状態で、ＡＦセンサーユニット１００１の２個の調整穴１０１０に調整工具ピン１００５が取り付けられている専用調整工具を挿入する。
【００１７】
そして、この状態で、ＡＦセンサーユニット１００１をＡＦセンサーホルダー１００２に押し付けるための所定の下方向荷重を加えながら、調整工具ピン１００５を回動して専用調整工具における所定のつまみを回して位置決め調整作業を行う。
【００１８】
この調整工具ピン１００５の操作により、ＡＦセンサーユニット１００１は、突き当てボス１００８を中心にして調整方向（Ｘ，Ｙ，θ）１００７に回動する。よって、作業者は、この調整工具ピン１００５を操作して、ＡＦセンサーユニット１００１が所定の角度に向くように位置決め調整する。
【００１９】
このとき、ＡＦセンサーユニット１００１を所定の角度に向けるよう調整するときの所定角度の測定方法は、例えばレンズから所定距離位置にチャートを置き、ＡＦセンサーの出力波形から測定する一般的な方法を利用することができる。
【００２０】
このようにしてＡＦセンサーユニット１００１が所定の角度に向くよう調整した状態で、作業者は、ＡＦセンサーユニット１００１とＡＦセンサーホルダー１００２との間の２箇所をＵＶ硬化接着剤１００６で貼着して固定する。この貼着工程では、所定２箇所にＵＶ硬化接着剤１００６を塗布し、ＵＶ光を一定時間照射してＵＶ硬化接着剤１００６を固めた後、調整工具ピン１００５を抜き取って作業を完了する。
【特許文献１】特開２００１−２０８５３６号
【発明の開示】
【発明が解決しようとする課題】
【００２１】
しかしながら、前述した従来のＡＦセンサーユニットを、パララックス調整を行ってカメラの撮像光学系の外側に固定するための具体的な手段では、パララックス調整を行うときに、所定の下方向荷重を加える必要がある。また、ＡＦセンサーユニットを載置したＡＦセンサーホルダーは、レンズユニット１００４の外側にＡＦセンサーホルダー固定ネジ１００３によって片持ち梁状に取り付けられている。
【００２２】
このため、ＡＦセンサーホルダーは、ＡＦセンサーホルダー固定ネジ１００３と反対側の自由端部に、ＡＦセンサーユニットを押さえるための下方向荷重が加わると、下方向に撓んでしまう。
【００２３】
よって、下方向荷重が加わった調整中と下方向荷重の負荷が無い調整後（調整工具ピン１００５を離した後）のパララックス測定値に、ＡＦセンサーホルダーの撓みによる誤差が含まれてしまい、高精度の調整を行うことが困難である。
【００２４】
また、前述した従来のカメラに係わる具体的な手段では、パララックス調整後、ＵＶ硬化接着剤１００６で２箇所を貼着して固定する方式のため、接着硬化による応力や経時変化による接着部の位置ずれを生じ易い。このため、前述した従来のカメラに係わる具体的な手段では、ＡＦセンサーユニットを、高精度でＡＦセンサーホルダーに対して固定することが困難であった。
【００２５】
さらに、前述した従来のカメラに係わる具体的な手段では、パララックス調整後、ＵＶ硬化接着剤１００６で２箇所を固定する手段であるため、ＵＶ接着剤に紫外線を当てて硬化させるために長い時間がかかる。このため、ＵＶ接着剤の長い硬化時間が調整工程に含まれることとなり、調整工程時間が延びてしまって作業能率を向上させることが困難であった。
【００２６】
本発明の目的は、撮像装置の撮像光学系の外側に、測距装置を、パララックス調整等の位置決め調整を行って高精度で組み付けられるようにする。これと共に、パララックス調整等の位置決め調整の作業を容易かつ迅速に実行可能とし、パララックス調整等の位置決め調整を行って測距装置を組み付ける作業にかかる時間を短縮して作業能率を向上できるようにした撮像装置を提供することにある。
【課題を解決するための手段】
【００２７】
上記目的を達成するために、本発明の撮像装置は、撮影用のレンズユニットのハウジングに対し、ＡＦセンサーユニットを位置調整して取り付け可能に構成した撮像装置において、前記撮影用のレンズユニットのハウジングに配置された、偏心ピン用穴と垂直調整ネジ穴と固定ネジ用穴を有する取り付け座と、前記ＡＦセンサーユニットに設けられ、長穴と垂直調整ネジ通し穴と貫通孔を有する取り付け部と、前記取り付け部の貫通孔を介して、前記取り付け座と締結部で締結する固定ネジと、前記偏心ピン用穴へ前記長穴を介して挿通した偏心ピンを回転させることにより、前記ＡＦセンサーユニットが前記レンズユニットに対して、前記固定ネジの中心を回転中心として水平方向へ回転されて位置調整が可能なように構成した第１方向調整機構と、前記垂直調整ネジ穴へ前記垂直調整ネジ通し穴を介して挿通した垂直調整ネジを回転させることにより、前記ＡＦセンサーユニットが前記レンズユニットに対して、前記固定ネジの締結部を支点として前記取り付け部の自由端部が、垂直方向に移動されて位置調整が可能なように構成した第２方向調整機構と、を有し、前記固定ネジ、前記偏心ピン、前記垂直調整ネジの３点は、全て中心軸が同一方向を向き、前記固定ネジと前記垂直調整ネジの２点のみで垂直方向が固定されることを特徴とする。
【発明の効果】
【００２８】
本発明によれば、撮像装置の撮像光学系の外側に、測距装置を、パララックス調整等の位置決め調整を行って高精度で組み付けられるという効果がある。これと共に、撮像装置の撮像光学系の外側に測距装置を取り付ける際に、パララックス調整等の位置決め調整の作業を容易かつ迅速に実行可能とする。さらに、パララックス調整等の位置決め調整を行って測距装置を組み付ける作業にかかる時間を短縮して作業能率を向上できるという効果がある。
【発明を実施するための最良の形態】
【００２９】
以下、本発明の実施の形態について図面を参照しながら説明する。
【００３０】
図１は、本発明の実施の形態に係わる撮像装置に装着される撮影用のレンズユニットの外側に、測距装置を組み付けた状態を取り出して示す要部斜視図である。
【００３１】
図２は、本発明の実施の形態に係わる撮像装置に装着される撮影用のレンズユニットの外側に組み付けられる測距装置を分解して示す、要部分解斜視図である。
【００３２】
図３は、図１のＡ−Ａ線で切断した断面を示すＡＦセンサー取り付け部分の拡大断面図である。
【００３３】
上述した図１及び図２において、１はＡＦセンサーユニット、２は撮影用のレンズユニットである。この撮影用のレンズユニット２は、撮像レンズ鏡筒の一部を構成するための固定筒であって、ＡＦセンサーユニット１が一体的に組み付けられる。
【００３４】
このため、撮影用のレンズユニット２のハウジング（内部筐体）には、取り付け座１９が一体的に突設されている。また、ＡＦセンサーユニット１には、取り付け部１８が一体的に設けられている。そして、取り付け座１９に、バネ部材である板バネ６を介して、取り付け部１８を締結することによって、ＡＦセンサーユニット１が、撮影用のレンズユニット２に組み付けられる。なお、この撮影用のレンズユニット２は、レンズユニットのハウジングに、図示しない外カバーを取り付けて完成される。
【００３５】
この撮影用のレンズユニット２に設けられる取り付け座１９は、レンズユニットのハウジングにおける被写体側（前方側）の外周面からラジアル方向に突出するよう一体的に設けられている。
【００３６】
この取り付け座１９は、矩形厚板状の台座の上面における被写体側に、偏心ピン用ボス１３と垂直調整ネジ用ボス１４とを、撮影用のレンズユニット２の光軸と直交する方向（ラジアル方向）に並べて配置する。さらに、取り付け座１９には、台座の上面における被写体と反対側の幅方向中央部に、固定ネジ用ボス１５を突設する。
【００３７】
この偏心ピン用ボス１３は、厚肉の小円筒状に形成され、その中心軸に沿って挿入孔が穿孔されている。また、垂直調整ネジ用ボス１４は、厚肉の小円筒状に形成され、その中心軸に沿ってねじ孔が穿孔されている。
【００３８】
また固定ネジ用ボス１５は、両側に柱部分を一体に形成したブロック状に形成され、その略中央位置にねじ孔が穿設されている。さらに、固定ネジ用ボス１５には、ねじ孔の周囲をパイプ形状に立設して、このパイプ形状の外周面部分に、後述する取り付け部１８の嵌合孔２０と板バネ６の孔を嵌合して、位置決め保持可能なように構成する。
【００３９】
また、このように構成した取り付け座１９に取り付けられる取り付け部１８は、樹脂又は金属等の弾性材料で構成する。この取り付け部１８には、取り付け座１９と略同形の矩形厚板状の部分における被写体側に、長穴１７と、ネジ通し用穴２１とを光軸と直交する方向（ラジアル方向）に並べて穿設する。
【００４０】
この長穴１７は、取り付け座１９に取り付け部１８を取り付けた状態で、偏心ピン用ボス１３の直上に位置するように対応して配置される。これと共に、長穴１７は、長穴１７の中心と嵌合孔２０の中心とを通る直線方向に長い開口に形成する。そして、この長穴１７は、その長穴内で偏心ピン３の中心軸に対して偏心して配置された円形頭部が回転することにより、偏心ピン３の偏心頭部が長穴１７内を往復移動可能なように形成する。
【００４１】
さらに、ネジ通し用穴２１は、垂直調整ネジ用ボス１４に位置が対応し、このネジ通し用穴２１を貫通するネジの径に対し、十分に隙間の空くいわゆるガタ穴（遊挿孔）に形成する。すなわち、ネジ通し用穴２１は、後述する水平方向調整の時に、ネジが貫通した状態でネジ通し用穴２１内を移動して位置調整をするときの調整量を十分に確保できる程度の隙間を持つ貫通孔に形成する。
【００４２】
また、取り付け部１８には、被写体と反対側の固定ネジ用ボス１５に対応した位置に、貫通孔である嵌合孔２０を穿孔する。
【００４３】
この取り付け部１８は、ＡＦセンサーユニット１の一部を構成するレンズホルダー１０に一体的に設けられている。この取り付け部１８は、レンズホルダー１０の一方の上側部に取り付け部１８の被写体側の一側部を接続することにより、上端面が面一で平面視が略Ｌ字状となるよう、一体に形成されている。
【００４４】
このＡＦセンサーユニット１は、レンズホルダー１０に対して、各種の構成部品を組み付けて構成する。このため、レンズホルダー１０は、樹脂製で、外形が略直方体状の箱型形状に形成され、被写体側の正面部分と、被写体と反対側の背面部分とに、それぞれ組み付け部品を支持するための支持構造を設けて構成する。
【００４５】
このレンズホルダー１０には、被写体側の正面側の所定位置にメガネレンズ７を接着剤で固定して組み付ける。このときメガネレンズ７とレンズホルダー１０は、所定の精度で製作されているので、組み付け時に特別な位置調整が不要である。
【００４６】
また、このレンズホルダー１０の被写体と反対側の背面側には、順に、ワッシャ９、ＡＦセンサーホルダー８及びＡＦセンサー１１を配置するよう構成する。なお、ＡＦセンサー１１は、フレキシブル基板１２に実装されている。このフレキシブル基板１２は、カメラ本体の回路基板（図指せず）に接続される。
【００４７】
このＡＦセンサーユニット１では、ＡＦセンサーホルダー８に、ＡＦセンサー１１を接着固定したものを、ピント調整用のワッシャ９を介してレンズホルダー１０に接着固定して組み付ける。この際、メガネレンズ７の光軸とＡＦセンサー１１の中心を合わせるため位置を調整した後、接着してＡＦセンサーユニット１を完成する。
【００４８】
この位置の調整方法は、メガネレンズ７前方にチャートを置き、フレキシブル基板１２からＡＦセンサー１１の波形を出力して調整を行うという一般的な位置の調整方法を用いることができる。
【００４９】
この位置の調整方法では、予め厚みの異なる数種類のピント調整用のワッシャ９を準備しておき、良好なピントが得られるようにＡＦセンサー１１の波形を確認して、所要の厚みを有するピント調整用のワッシャ９を選定して用いる。なお、この位置の調整方法は、一般的なものであるので、これ以上の詳細な説明を省略する。
【００５０】
また、ＡＦセンサーユニット１の取り付け部１８と、撮影用のレンズユニット２の取り付け座１９との間に配置されるバネ部材である板バネ６は、図２及び図３に示すように金属等の弾性材料製の変形板ばねとして構成する。
【００５１】
この板バネ６は、正面略Ｕ字状の弾性変形部分における両自由端部から、それぞれ外側に向けて鉤型に延出する支持用の突片６ａ、６ｂを設けて構成する。この一方の支持用の突片６ａには、固定ネジ用ボス１５のパイプ形状の外周面部分に嵌合する、嵌合孔を穿孔する。さらに、他方の支持用の突片６ｂには、自由端辺に開放するようＵ字状に切欠して二股の爪部を形成する。
【００５２】
次に、上述のように構成した板バネ６を介在させて、ＡＦセンサーユニット１をレンズユニット２へ取り付ける取り付け構造と、取り付け方法について説明する。
【００５３】
まず、最初の取り付け工程では、撮影用のレンズユニット２における取り付け座１９に板バネ６を取り付ける。このとき、板バネ６は、一方の端片の支持用の突片６ａに穿孔された嵌合孔を固定ネジ用ボス１５の先端となるパイプ形状の部分に嵌合して取り付ける。これと共に、板バネ６は、他方の端片の支持用の突片６ｂに形成した二股の爪部を垂直調整ネジ用ボス１４に臨ませる状態で取り付ける。
【００５４】
次の取り付け工程では、ＡＦセンサーユニット１における取り付け部１８の嵌合孔２０を、固定ネジ用ボス１５の先端となるパイプ形状の部分に、板バネ６の支持用の突片６ａ上に重ねて嵌合する状態で取り付ける。
【００５５】
そして、この状態で、固定ネジ５をレンズユニット２の取り付け座１９に設けられた固定ネジ用ボス１５先端のパイプ形状の内側に当たる螺子孔に螺合して締結する。これにより、取り付け部１８における嵌合孔２０近傍の高さ位置（上下方向の位置）が、取り付け座１９に対して一定となるように締結される。
【００５６】
すなわち、取り付け部１８は、取り付け座１９の固定ネジ用ボス１５に固定ネジ５によって締結された状態で、垂直調整ネジ用ボス１４の先端面との間に所定間隔のθ２方向の傾き（上下方向の傾き）の調整用の隙間ができる、片持ち梁状に締結される。これと共に、取り付け部１８は、図３に示すように、板バネ６が、常に取り付け部１８の垂直調整ネジ用ボス１４側の端部（自由端側の端部）を上方向に付勢された状態となっている。
【００５７】
次の取り付け工程では、水平調整用偏心ピン３を、ＡＦセンサーユニット１の取り付け部１８の長穴１７を通して、撮影用のレンズユニット２の取り付け座１９に設けられた偏心ピン用ボス１３の孔へ回転可能に挿通する。このとき偏心ピン３は、偏心ピン用ボス１３の孔に対して軽圧入嵌合の状態となり、一度差し込むと容易に抜けることは無いが軽い力で回転可能な状態で保持される。
【００５８】
次の取り付け工程では、垂直調整ネジ４を、取り付け部１８のネジ通し用穴２１に通して撮影用のレンズユニット２の取り付け座１９に設けられた垂直調整ネジ用ボス１４のネジ通し用穴２１へ遊挿し、所定量ネジ締めを行っておく。ここで、ネジ通し用穴２１は、ネジの径に対し、十分に隙間の空くいわゆるガタ穴に形成して、後述する水平方向調整時、調整量を十分満足できる程度の隙間が設けおく。
【００５９】
なお、上述したように取り付け座１９に板バネ６を介して取り付け部１８を取り付けた状態では、パララックス調整が可能な状態となっている。このパララックス調整が可能な状態では、撮影用のレンズユニット２の取り付け座１９に対して、取り付け部１８と一体のＡＦセンサーユニット１を、図１のθ１とθ２とのそれぞれの方向へ移動調整可能な状態となっている。
【００６０】
次に、上述のパララックス調整可能状態において、パララックス調整を行う方法について、図１、図２及び図３を参照しながら説明する。
【００６１】
このパララックス調整を行う場合には、まず、ＡＦセンサーユニット１に対する、ＸＺ平面上でのθ１方向傾き（水平方向傾き）の調整を、偏心ピン３を回すことによって行う。
【００６２】
ここで用いる偏心ピン３は、偏心ピン頭部分の中心と、その下の軸部の中心（回転中心軸）とを、所定量ずらした形状に形成されている。このためドライバー等で偏心ピン３を回転させると、偏心ピン３の頭部が、取り付け部１８の長穴１７の内周面を押して、図１に示すように、ＡＦセンサーユニット１をδ１だけ矢印方向へ移動させる。すなわち、ＡＦセンサーユニット１は、固定ネジ５の中心（座標原点０）を回転中心としてδθ１だけ回転する。
【００６３】
このときＡＦセンサーユニット１は、既に固定ネジ５によって取り付け座１９に締め付けられている。しかし、θ１方向の回転中心が固定ネジ５の中心位置と同一のため抵抗が少ないので、偏心ピン３は、比較的軽いトルクで回すことができる。
【００６４】
次に、このパララックス調整では、ＡＦセンサーユニット１に対する、ＸＹ平面上でのθ２方向の傾き（上下方向の傾き）の調整を、垂直調整ネジ４を回転することにより行う。
【００６５】
この調整では、図３に示すように、垂直調整ネジ４を回して調整することにより、取り付け部１８が、垂直調整ネジ４の頭部に押されてδ２だけ矢印方向へ僅かに移動調整される。この調整によって、取り付け部１８は、図３に示すように、固定ネジ締結部（ＸＹ原点０）を支点にしてδθ２だけ点線のごとく僅かに撓み、ＡＦセンサーユニット全体を回転させてθ２方向に傾動調整される。
【００６６】
なお、垂直調整ネジ４をはずした状態における取り付け部１８の初期形状は、図３に２点鎖線で示した形状、すなわち僅かに自由端部を上向きにする形状になっている。このように取り付け部１８の初期形状を構成した場合には、パララックス調整において、上向き方向の調整が可能となる。
【００６７】
次に、前述した板バネ６が、図３に示すように、常にＡＦセンサーユニット１の取り付け部１８を上方向に付勢していることの作用に付いて説明する。
【００６８】
このパララックス調整を行うための前述した調整機構では、調整量δ２が微小なので、通常の状態で、取り付け部１８の弾性のみを利用して調整機構が成り立つ。しかし、取り付け部１８の弾性のみを利用して調整機構を構成した場合には、高温で放置されたり、落下・振動が加わった場合に、僅かではあるが取り付け部１８にクリープや変形を生じ、ＡＦセンサーの微小な位置ズレを引き起こすことがある。
【００６９】
そこで、望遠レンズを有するカメラ等のように、高精度でＡＦセンサーの位置決めが必要な場合には、前述した板バネ６を設けた構成により、取り付け部１８のクリープや変形を吸収するために板バネ６によって、付勢力を付与することが有効となる。
【００７０】
なお、本実施の形態の構成では、レンズホルダー１０（取り付け部１８）やレンズユニット２の部品精度を高精度にすることにより、従来のようなピボット突き当て調整ではないので、前述した図４の従来例におけるθ方向の調整を不用とできる。
【００７１】
最後に、このパララックス調整では、水平調整用偏心ピン３、垂直調整ネジ４及び固定ネジ５の頭にネジロック用接着剤を塗布して振動落下による回転ずれを規制し、調整完了とする。なお、前記ネジロック用接着剤塗布に関しては、調整後ネジを回さない限りＡＦユニット位置は動かないので、接着剤が固まるまで待つ必要が無い分だけ、調整工程の時間を節減できる。
【００７２】
次に、上述のように構成した本実施の形態の撮像装置における撮影用のレンズユニット２に、ＡＦセンサーユニット１をパララックス調整可能に取り付けるための構成により得られる効果について説明する。
【００７３】
この撮像装置では、撮影用のレンズユニット２（固定筒）に配設した取り付け座１９（ＡＦユニット取り付け座）に、ＡＦセンサーユニット（ＡＦユニット）１に配設した弾性体で形成した取り付け部１８を組み付ける構成としている。
【００７４】
すなわち、この取り付け座１９に対して板バネ６を介して取り付け部１８を組み付ける部分（接合部）の構成は、パララックス調整を行うための、締結部、水平方向調整機構（第１方向調整機構）及び垂直方向調整機構（第２方向調整機構）を備える。
【００７５】
よって、この接合部の構成では、調整時の荷重が、剛性の高い撮影用のレンズユニット２の取り付け座１９にかかるため、調整時に撓み変形による誤差を生じることが少ないので、高精度でＡＦユニットの位置調整が可能となる。
【００７６】
さらに、この接合部に装着する水平方向調整機構、垂直方向調整機構は、ＡＦセンサーユニット１の樹脂又は金属製の前記弾性体で構成した取り付け部１８の弾性を利用してネジによる送り方向移動を行うように構成する。これにより、この接合部の水平方向調整機構、垂直方向調整機構の構成は、従来のＵＶ接着剤を用いた調整手段と比較して、接着硬化応力を無くせると同時に、温度変化若しくは落下又は振動によるＡＦセンサーユニット１の位置ずれを少なくできる。これと共に、製造工程における紫外線（ＵＶ）を照射して接着剤を硬化させる時間を削減できる。また、この接合部の水平方向調整機構、垂直方向調整機構の構成は、簡素で廉価に構成でき、しかも、迅速に製造できるので大量生産に適する。
【００７７】
また、弾性体である取り付け部１８をネジ締め付け方向と逆方向へ付勢する付勢手段である板バネ６を設けた場合には、温度変化、落下又は振動による弾性体としての取り付け部１８の微小変形による影響を抑制できる。よって、このように構成した場合には、撮影用のレンズユニット２に取り付けられたＡＦセンサーユニット１の位置ずれを更に抑制してＡＦセンサーユニット１の位置精度を向上することができる。
【００７８】
また、ＡＦセンサーユニット１を水平方向（図１のθ１方向）へ傾動して調整する水平方向調整機構（第１方向調整機構）は、偏心ピン３を利用した調整機構として構成した。また、ＡＦセンサーユニット１の自由端部側を垂直方向（図１のθ２方向）へ移動して調整する垂直方向調整機構（第２方向調整機構）は、取り付け部１８を垂直調整ネジ４で押圧して弾性変形させることにより、傾動角度を調整する機構として構成した。
【００７９】
よって、接着剤を利用するものでは無いので、接着部が接着硬化応力によって誤差を生じるような影響を受けることを無くせると同時に、温度変化若しくは落下又は振動によるＡＦセンサーユニット１の位置ずれを少なくできる。これと共に、接着剤を利用するものでは無いので、ＵＶ照射により接着するための待ち時間が必要ないので、調整工程の迅速化を図ることができる。
【００８０】
また、水平方向調整機構では、取り付け部１８を偏心ピン３で移動調整するときの取り付け部１８の回転中心を、固定ネジ用ボス１５に取り付け部１８の嵌合孔２０を嵌合して固定ネジ５で締結する構造の部分とした。よって、締結部材である固定ネジ５で締結した後であっても、この締結部分を微少角度だけ回転させるための摩擦を小さくできる。このため、取り付け部１８を微少角度だけ回転させるために、偏心ピン３を回転調整するための操作力（トルク）を小さくして容易に行えるようにすることができる。
【００８１】
さらに、固定筒である撮影用のレンズユニット２の取り付け座１９における固定ネジ用ボス１５に取り付け部１８の嵌合孔２０を嵌めて、固定ネジ５で締結するように構成した。よって、取り付け部１８は、取り付け座１９に対して垂直方向の位置を正確にかつ確実に保持するように締結できる。
【００８２】
さらに、水平方向調整機構は、偏心ピン３を回す操作によって調整する。また、垂直方向調整機構は、垂直調整ネジ４を回す操作によって調整する。よって、いずれもねじ部品を回す操作によって調整するものであるから、ねじを回転軸方向へ押し付ける荷重がわずかとなるので、取り付け座１９を撓ませることが少なく、高精度でＡＦユニットの位置調整を行うことができる。
【００８３】
また、ＡＦセンサーユニット１は、取り付け部１８を一体的に設けたレンズホルダー１０に、ＡＦユニット構成部品を組み付けて一体化した構成である。このため、撮像レンズ鏡筒を構成するための撮影用のレンズユニット２とＡＦセンサーユニット１との取り付け精度が向上するため、水平方向調整機構、垂直方向調整機構による調整量を少なくできるので、調整工程に掛かる時間をより短縮できる。
【００８４】
さらに、この撮像装置では、取り付け座１９を、撮影用のレンズユニット２と一体化した。これにより、撮影用のレンズユニット２に対するＡＦセンサーユニット１の取り付け精度が向上するので、水平方向調整機構、垂直方向調整機構による調整量が少なくて済み、調整工程時間をより短縮できる。
【図面の簡単な説明】
【００８５】
【図１】本発明の実施の形態に係わる撮像装置に装着される撮影用のレンズユニットの外側に、測距装置を組み付けた状態を取り出して示す要部斜視図である。
【図２】本発明の実施の形態に係わる撮像装置に装着される撮影用のレンズユニットの外側に組み付けられる測距装置を分解して示す、要部分解斜視図である。
【図３】図１のＡ−Ａ線で切断した断面を示すＡＦセンサー取り付け部分の拡大断面図である。
【図４】従来のＡＦセンサーユニットが撮像光学系の外側に取り付けられた状態の外観を例示する要部斜視図である。
【図５】従来のＡＦセンサーユニットを撮像光学系の外側から取り外した状態の外観を例示する要部斜視図である。
【符号の説明】
【００８６】
１  ＡＦセンサーユニット
２  撮影用のレンズユニット
３  偏心ピン
４  垂直調整ネジ
５  固定ネジ
６  板バネ
７  メガネレンズ
８  ＡＦセンサーホルダー
９  ワッシャ
１０  レンズホルダー
１１  ＡＦセンサー
１３  偏心ピン用ボス
１４  垂直調整ネジ用ボス
１５  固定ネジ用ボス
１７  長穴
１８  取り付け部
１９  取り付け座
２０  嵌合孔
２１  ネジ通し用穴
【図１】
0005553490.tif 000002
【図２】
0005553490.tif 000003
【図３】
0005553490.tif 000004
【図４】
0005553490.tif 000005
【図５】
0005553490.tif 000006